(57)【要約】  複合機はタッチパネルモニター２１０を備える。タッチパネルモニター２１０は、ディスプレイパネル２１２と、ディスプレイパネル２１２にオーバーレイされるタッチパネル２２０と、を有する。手書きモードにおいて、ディスプレイパネル２１２には、元画像ＩＭＧ１に応じた中間画像ＩＭＧ２が表示される。この状態で、タッチパネル２２０へのタッチ入力が検出されると、タッチ入力にもとづくタッチ画像ＩＭＧ３が元画像ＩＭＧ１に重畳され、新画像ＩＭＧ４が生成される。
2019069704.tif 000002
【特許請求の範囲】
【請求項１】
ディスプレイパネルと、前記ディスプレイパネルにオーバーレイされるタッチパネルと、を有するタッチパネルモニターを備え、
手書きモードにおいて、前記ディスプレイパネルに、元画像に応じた中間画像を表示した状態で、前記タッチパネルへのタッチ入力が検出されると、前記タッチ入力にもとづくタッチ画像を前記元画像に重畳し、新画像を生成することを特徴とする複合機。
【請求項２】
前記元画像の解像度に応じて、前記タッチ画像をスケーリングしたオーバーレイ画像を生成し、前記オーバーレイ画像が前記元画像に重畳されることを特徴とする請求項１に記載の複合機。
【請求項３】
スタンプモードにおいて、前記ディスプレイパネルに前記中間画像を表示した状態で、前記タッチパネルへのタッチ入力が検出されると、前記元画像の前記タッチ入力に対応する箇所に、スタンプ画像を重畳した新画像を生成することを特徴とする請求項１または２に記載の複合機。
【請求項４】
前記ディスプレイパネルに前記中間画像を表示する際の倍率が変更可能であることを特徴とする請求項１から３のいずれかに記載の複合機。
【請求項５】
ディスプレイパネルと、前記ディスプレイパネルにオーバーレイされるタッチパネルと、を有するタッチパネルモニターを備え、
スタンプモードにおいて、前記ディスプレイパネルに元画像に応じた中間画像を表示した状態で、前記タッチパネルへのタッチ入力が検出されると、前記元画像の前記タッチ入力に対応する箇所に、スタンプ画像を重畳した新画像を生成することを特徴とする複合機。
【請求項６】
複合機の処理方法であって、
前記複合機は、ディスプレイパネルと、前記ディスプレイパネルにオーバーレイされるタッチパネルと、を有するタッチパネルモニターを備え、
前記処理方法は、
前記ディスプレイパネルに、元画像に応じた中間画像を表示するステップと、
前記タッチパネルへのタッチ入力を監視するステップと、
前記タッチパネルへのタッチ入力が検出されると、前記タッチ入力にもとづくタッチ画像を生成するステップと、
前記タッチ画像に応じたオーバーレイ画像を、前記元画像に重畳し、新画像を生成するステップと、
を備えることを特徴とする処理方法。
【請求項７】
複合機の処理方法であって、
前記複合機は、ディスプレイパネルと、前記ディスプレイパネルにオーバーレイされるタッチパネルと、を有するタッチパネルモニターを備え、
前記処理方法は、
前記ディスプレイパネルに、元画像に応じた中間画像を表示するステップと、
前記タッチパネルへのタッチ入力を監視するステップと、
前記タッチパネルへのタッチ入力が検出されると、前記タッチ入力にもとづく位置に、スタンプ画像を重畳し、新画像を生成するステップと、
を備えることを特徴とする処理方法。
【請求項８】
原稿をスキャンすることにより、前記元画像を生成するステップをさらに備えることを特徴とする請求項６または７に記載の処理方法。
【請求項９】
前記新画像を印刷するステップをさらに備えることを特徴とする請求項６から８のいずれかに記載の処理方法。
【請求項１０】
前記新画像を、指定した宛先にファクシミリ送信するステップをさらに備えることを特徴とする請求項６から８のいずれかに記載の処理方法。
【発明の詳細な説明】
【技術分野】
【０００１】
本発明は、複合機に関する。
【背景技術】
【０００２】
タッチパネル付きディスプレイは、さまざまな電子機器、ＯＡ機器、産業機械や自動車などへの搭載が進められている。画像や文書を電子化するスキャナ専用機、あるいはスキャナ機能に加えて、コピー機能やファクシミリ機能が統合された複合機（本明細書においてスキャナ装置と称する）も例外ではなく、タッチパネルによって、機能の選択、印刷枚数の設定、縮尺の設定、用紙サイズの選択など、各種操作が可能となっている。
【先行技術文献】
【特許文献】
【０００３】
【特許文献１】特開平０１−０４０８５２号公報
【特許文献２】特許第２７６０３９６号
【特許文献３】特開昭６３−０７７０６４号公報
【特許文献４】特公昭５９−５２８１１号
【発明の概要】
【発明が解決しようとする課題】
【０００４】
本発明は係る状況においてなされたものであり、そのある態様の例示的な目的のひとつは、手書き入力機能および／またはスタンプ機能を備えることを特徴とする複合機の提供にある。
【課題を解決するための手段】
【０００５】
本発明のある態様は、複合機に関する。複合機は、ディスプレイパネルと、ディスプレイパネルにオーバーレイされるタッチパネルと、を有するタッチパネルモニターを備える。手書きモードにおいて、ディスプレイパネルに元画像に応じた中間画像を表示した状態で、タッチパネルへのタッチ入力が検出されると、タッチ入力にもとづくタッチ画像を元画像に重畳し、新画像を生成する。【０００６】
従来、ボタンキーとして利用されていたタッチパネルを、画像入力のためのデバイスとして利用し、元画像をディスプレイパネルに表示した状態で、あたかも元画像に書き込むかのような形態で、図形や文字を手書きによって追加し、新画像を生成できる。【０００７】
複合機は、元画像の解像度に応じて、タッチ画像をスケーリングしたオーバーレイ画像を生成し、オーバーレイ画像を元画像に重畳してもよい。元画像とタッチ画像の解像度（画素数）が異なる場合には、オーバーレイ画像を生成することで、正しい縮尺で手書き入力を追加できる。【０００８】
スタンプモードにおいて、ディスプレイパネルに元画像に応じた中間画像を表示した状態で、タッチパネルへのタッチ入力が検出されると、元画像のタッチ入力に対応する箇所に、スタンプ画像を重畳した新画像を生成してもよい。【０００９】
ディスプレイパネルに中間画像を表示する際の倍率が変更可能であってもよい。【００１０】
なお、以上の構成要素を任意に組み合わせたもの、あるいは本発明の表現を、方法、装置などの間で変換したものもまた、本発明の態様として有効である。
【発明の効果】
【００１１】
本発明のある態様によれば、手書き入力機能および／またはスタンプ機能を実現できる。
【図面の簡単な説明】
【００１２】
【図１】実施の形態に係る複合機を示す図である。
【図２】複合機の機能ブロック図である。
【図３】図３（ａ）、（ｂ）は、手書きモードを説明する図である。
【図４】図４（ａ）、（ｂ）は、タッチ画像ＩＭＧ３の生成を説明する図である。
【図５】元画像ＩＭＧ１、タッチ画像ＩＭＧ３、新画像ＩＭＧ４の生成を説明する図である。
【図６】図６（ａ）、（ｂ）は、タッチ画像ＩＭＧ３の元画像ＩＭＧ１への重畳の一例を示す図である。
【図７】手書きモードのフローチャートである。
【図８】スタンプモードを説明する図である。
【発明を実施するための形態】
【００１３】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１４】
本明細書において、「部材Ａが、部材Ｂと接続された状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
【００１５】
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００１６】
図１は、実施の形態に係る複合機１００を示す図である。複合機１００は、プリンタ機能、コピー機、スキャナ機の機能を備える。複合機１００はさらにファクシミリ機能を備えてもよい。複合機１００は、タッチパネルモニター１１０、スキャナユニット１２０、排紙トレー１３０、給紙トレー１４０を備える。複合機１００の内部には印刷ユニットが内蔵される。
【００１７】
スキャナユニット１２０は、図示しない紙に書かれた画像を電子化する。スキャナモードでは、電子化された画像データが、メモリに保存される。プリンタモードやファクシミリモードでは、電子化された画像データが、印刷あるいは送信に使用される。
【００１８】
コピーモードあるいはプリンタモードにおいて、印刷ユニットには、給紙トレー１４０から紙が供給される。印刷ユニットは、紙に電子データに応じた画像を印刷する。コピーモードにおける電子データは、スキャナユニット１２０により読み取られたデータである。プリンタモードにおける電子データは、外部のコンピュータから供給され、あるいは図示しないＳＤカード等のデータ格納媒体（外部メモリ）から読み出される。印刷ユニットはレーザ方式であってもよいし、インクジェット方式であってもよい。印刷された紙は排紙トレー１３０から排出される。
【００１９】
タッチパネルモニター１１０は、ユーザインタフェースとして設けられる。タッチパネルモニター１１０は、ディスプレイパネルとタッチパネルを有する。ディスプレイパネルは、液晶パネルあるいは有機ＥＬ（Electro Luminescence）パネルであり、さまざまな図形情報、文字情報を提示可能である。タッチパネルは、ディスプレイパネルにオーバーレイして設けられる。タッチパネルは、抵抗式あるいは静電容量式を用いることができる。
【００２０】
タッチパネルモニター１１０には、通常時においては、さまざまな図形情報、テキスト情報などが表示され、またボタンなどが表示される。また後述する手書きモードでは、画像入力デバイスとして機能する。
【００２１】
以上が複合機１００の全体構成である。図２は、複合機２００の機能ブロック図である。複合機２００は、タッチパネルモニター２１０、マスターコントローラ２３０、スキャナユニット２４０、プリンタユニット２５０、ファクシミリユニット２６０、インタフェースユニット２７０を備える。
【００２２】
マスターコントローラ２３０は、複合機２００全体を統合的に制御するプロセッサであり、ＣＰＵ（Central Processing Unit）あるいはマイコンで構成される。スキャナユニット２４０は、紙に印刷された画像情報を電子データに変換する。プリンタユニット２５０は、マスターコントローラ２３０から供給された画像データを、紙に印刷する。ファクシミリユニット２６０は、マスターコントローラ２３０から供給された画像データを、電話回線を介して送信する。インタフェースユニット２７０は、イーサネット（登録商標）やＵＳＢ（Universal Serial Bus）などを有し、外部とさまざまなデータを送受信する。ファクシミリ機能を備える複合機では、インタフェースユニット２７０は電話回線とのインタフェースを含む。
【００２３】
タッチパネルモニター２１０は、上述のようにディスプレイパネル２１２およびタッチパネル２２０を備える。タッチパネルモニター２１０は、マスターコントローラ２３０から送信された画像データＳ１をディスプレイパネル２１２に表示する。またタッチパネル２２０に対するタッチ入力を検出し、検出結果を示すデータＳ２をマスターコントローラ２３０に送信する。
【００２４】
タッチパネルモニター２１０は、ディスプレイパネル２１２、タッチパネル２２０に加えて、ディスプレイドライバ２１４、タイミングコントローラ２１６、タッチコントローラ２２２を備える。
【００２５】
タイミングコントローラ２１８は、マスターコントローラ２３０から画像データＳ１を受信する。
【００２６】
ディスプレイドライバ２１４は、ゲートドライバ、ソースドライバを含み、タイミングコントローラ２１６が受信した画像データＳ１にもとづいてディスプレイパネル２１２を駆動する。
【００２７】
タッチコントローラ２２２は、タッチパネル２２０と接続され、タッチパネル２２０へのタッチ入力を検出する。タッチコントローラ２２２は、タッチした座標、もしくは座標と相関を有するデータＳ２を生成する。本実施の形態において、タッチパネル２２０は抵抗式であり、タッチコントローラ２２２は、タッチパネル２２０に発生する電圧（もしくは電流）を測定する。データＳ２は、抵抗を示してもよい。
【００２８】
以上が複合機２００の構成である。この複合機２００は、手書きモードをサポートする。図３（ａ）、（ｂ）は、手書きモードを説明する図である。手書きモードでは、ディスプレイパネル２１２に元画像ＩＭＧ１に応じた中間画像ＩＭＧ２を表示した状態で、タッチパネル２２０へのタッチ入力を監視する。中間画像ＩＭＧ２の画素数（解像度）は、ディスプレイパネル２１２の画素数に応じており、元画像ＩＭＧ１の画素数とは無関係である。中間画像ＩＭＧ２は元画像ＩＭＧ１の全体あるいは一部であり、元画像ＩＭＧ１を適切にトリミングおよびスケーリングすることにより、中間画像ＩＭＧ２が生成される。元画像ＩＭＧ１のどの範囲をディスプレイパネル２１２に表示するかは、ユーザが選択可能である。
【００２９】
そしてタッチ入力が検出されると、タッチ入力にもとづくタッチ画像ＩＭＧ３が生成される。そして図３（ｂ）に示すように、タッチ画像ＩＭＧ３を元画像ＩＭＧ１に重畳し、新画像ＩＭＧ４が生成される。
【００３０】
図４（ａ）、（ｂ）は、タッチ画像ＩＭＧ３の生成を説明する図である。塗りつぶされた箇所は、指あるいはスタイラスペンでタッチしたことを表す。図４（ａ）に示すように、１点だけタッチすれば、その点に対応する画素が塗りつぶされる。図４（ｂ）に示すように指を滑らせれば、連続的な直線や曲線を描くことも可能である。
【００３１】
続いて、元画像ＩＭＧ１、タッチ画像ＩＭＧ３、新画像ＩＭＧ４の生成について詳細に説明する。図５は、元画像ＩＭＧ１、タッチ画像ＩＭＧ３、新画像ＩＭＧ４の生成を説明する図である。ここでは各画像の水平方向の画素数（あるいは解像度）のみに着目して、画像処理を説明する。
【００３２】
元画像ＩＭＧ１の水平方向の画素数をＸ１とする。元画像ＩＭＧ１が、スキャナユニットにより取り込まれた画像である場合、画素数Ｘ１は、スキャンした画像の横方向のサイズと、解像度（ｄｐｉ：Dot Per Inch）に比例する。たとえばスキャンした画像の横方向の長さが５インチ、解像度が２００ｄｐｉであるとき、画素数Ｘ１は、１０００ピクセルとなる。解像度を３００ｄｐｉに上げれば、画素数Ｘ１は１５００ピクセルとなる。
【００３３】
手書きモードにおいて、元画像ＩＭＧ１の一部あるいは全部の領域（表示領域）の画像（表示画像という）ＩＭＧ１’がディスプレイパネル２１２に表示される。中間画像ＩＭＧ２は、表示画像ＩＭＧ１’を適切にスケーリングすることにより生成される。表示画像ＩＭＧ１’の画素数をＸ１’とする。中間画像ＩＭＧ２の画素数Ｘ２は、ディスプレイパネル２１２の水平解像度に対応している。たとえばＸ２＝６４０ピクセル、表示画像ＩＭＧ１’の画素数Ｘ１’が６４０ピクセルであるとき、中間画像ＩＭＧ２と表示画像ＩＭＧ１’は一致する。たとえばＸ２＝６４０ピクセル、表示画像ＩＭＧ１’の画素数Ｘ１’が３２０ピクセルであるとき、中間画像ＩＭＧ２は表示画像ＩＭＧ１’の解像度を２倍に変換した画像となる。たとえばＸ２＝６４０ピクセル、表示画像ＩＭＧ１’の画素数Ｘ１’が１２８０ピクセルであるとき、中間画像ＩＭＧ２は表示画像ＩＭＧ１’の解像度を１／２倍に変換した画像となる。
【００３４】
タッチ画像ＩＭＧ３の水平解像度Ｘ３は、タッチパネル２２０の水平解像度（分解能）と一致する。タッチパネル２２０が水平方向に１０ビットの分解能を有する場合、Ｘ３＝２１０＝１０２４である。
【００３５】
タッチ画像ＩＭＧ３は、表示画像ＩＭＧ１’に対応する領域に重畳される。タッチ画像ＩＭＧ３と表示画像ＩＭＧ１’の解像度が異なる場合、タッチ画像ＩＭＧ３を、表示画像ＩＭＧ１’と同じ解像度を有するオーバーレイ画像ＩＭＧ３’にスケーリングした後に、元画像ＩＭＧ１に重畳する。重畳は、画素の置換により行ってもよいし、αブレンディングによって行ってもよい。
【００３６】
たとえばＸ３＝１０２４ピクセル、表示画像ＩＭＧ１’の画素数Ｘ１’が３２０ピクセルであるとき、オーバーレイ画像ＩＭＧ３’はタッチ画像ＩＭＧ３を３２０／１０２４倍にダウンスケーリングして生成される。
【００３７】
Ｘ３＝１０２４ピクセル、Ｘ１’＝６４０ピクセルであるとき、オーバーレイ画像ＩＭＧ３’は、タッチ画像ＩＭＧ３を６４０／１０２４倍にダウンスケーリングして生成される。
【００３８】
Ｘ３＝１０２４ピクセル、Ｘ１’＝１２８０ピクセルであるとき、オーバーレイ画像ＩＭＧ３’は、タッチ画像ＩＭＧ３を１２８０／１０２４倍にアップスケーリングして生成される。
【００３９】
図６（ａ）、（ｂ）は、タッチ画像ＩＭＧ３の元画像ＩＭＧ１への重畳の一例を示す図である。図６（ａ）に示すように、元画像ＩＭＧ１の表示領域の解像度Ｘ１’が、タッチ画像ＩＭＧ３の解像度Ｘ３より低い場合を示す。オーバーレイ画像ＩＭＧ３’は、タッチ画像ＩＭＧ３をダウンスケーリングすることにより生成される。オーバーレイ画像ＩＭＧ３’の各画素のオン、オフは、それに含まれるタッチ画像ＩＭＧ３の複数の画素のオンの個数（比率）に応じて計算してもよい。画素がオンであるとは、その画素に、有効な入力があったことを表す。この例では、オーバーレイ画像ＩＭＧ３’の１画素Ｐには、タッチ画像ＩＭＧ３の９個の画素Ｑが含まれる。オンである画素Ｑの割合がしきい値を超えたときに、その画素Ｐをオンにしてもよい。図６（ｂ）には、しきい値が異なる条件で生成されるオーバーレイ画像ＩＭＧ３’が示される。
【００４０】
図７は、手書きモードのフローチャートである。ここでは、コピーを例とする。はじめに、もととなる原稿がスキャンされ（Ｓ１００）、元画像ＩＭＧ１が生成される（Ｓ１０２）。続いて、元画像ＩＭＧ１の一部あるいは全部が、表示範囲として指定される（Ｓ１０４）。選択された部分ＩＭＧ１’に応じた中間画像ＩＭＧ２が、ディスプレイパネル２１２に表示される（Ｓ１０６）。この状態で、タッチパネル２２０に対するタッチ入力を監視する（Ｓ１０８）。そしてタッチ入力が検出されると（Ｓ１０８のＹ）、それに応じたタッチ画像ＩＭＧ３が生成される（Ｓ１１０）。このタッチ画像ＩＭＧ３がオーバーレイ画像ＩＭＧ３’に変換される（Ｓ１１２）。そしてオーバーレイ画像ＩＭＧ３’が元画像ＩＭＧ１に重畳され、新画像ＩＭＧ４が生成される（Ｓ１１４）。そして新画像ＩＭＧ４が印刷される（Ｓ１１６）。
【００４１】
以上が手書きモードの説明である。続いてスタンプモードを説明する。
【００４２】
複合機１００は、手書きモードに加えて、あるいはそれに代えて、スタンプモードをサポートしてもよい。図８は、スタンプモードを説明する図である。スタンプモードでは、ディスプレイパネル２１２に元画像ＩＭＧ１に応じた中間画像ＩＭＧ２を表示した状態で、タッチパネル２２０へのタッチ入力が検出されると、元画像ＩＭＧ１のタッチ入力に対応する箇所（座標および／または範囲）に、スタンプ画像ＩＭＧ５が重畳され、新画像ＩＭＧ４が生成される。ここではスタンプ画像ＩＭＧ５として、「ＣＯＮＦＩＤＥＮＴＩＡＬ」という文字情報を例としたが、スタンプ画像ＩＭＧ５は特に限定されない。
【００４３】
実施の形態にもとづき、具体的な用語を用いて本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【００４４】
１００…複合機、１１０…タッチパネルモニター、１２０…スキャナユニット、１３０…排紙トレー、１４０…給紙トレー、２００…複合機、２１０…タッチパネルモニター、２１２…ディスプレイパネル、２１４…ディスプレイドライバ、２１６…タイミングコントローラ、２２０…タッチパネル、２２２…タッチコントローラ、２３０…マスターコントローラ、２４０…スキャナユニット、２５０…プリンタユニット、２６０…ファクシミリユニット、２７０…インタフェースユニット。
【産業上の利用可能性】
【００４５】
本発明は、複合機に利用できる。
【図１】
2019069704.tif 000003
【図２】
2019069704.tif 000004
【図３】
2019069704.tif 000005
【図４】
2019069704.tif 000006
【図５】
2019069704.tif 000007
【図６】
2019069704.tif 000008
【図７】
2019069704.tif 000009
【図８】
2019069704.tif 000010
【国際調査報告】
2019069704.tif 000011
2019069704.tif 000012
2019069704.tif 000013